(57)【要約】【課題】電波信号の受信に対応可能で、部品点数が少ないトイレ装置を提供することを目的とする。【解決手段】便器の上に設けられ、人体の局部を洗浄する機能部を含む本体部と、前記本体部の内部に設けられ、前記機能部を制御する制御部と、前記制御部と電気的に接続される基板であって、少なくとも電波信号を受信する基板を後付け可能な取付部と、を備えたトイレ装置が提供される。【選択図】図４
2018031123.tif 000002
【特許請求の範囲】
【請求項１】
便器の上に設けられ、人体の局部を洗浄する機能部を含む本体部と、
前記本体部の内部に設けられ、前記機能部を制御する制御部と、
前記制御部と電気的に接続される基板であって、少なくとも電波信号を受信する基板を後付け可能な取付部と、
を備えたトイレ装置。
【請求項２】
前記基板と、
前記電波信号を送信するリモコンと、
をさらに備え、
前記電波信号は、前記機能部を制御するための情報を含むことを特徴とする請求項１記載のトイレ装置。
【請求項３】
前記取付部は、前記本体部の内部に設けられたことを特徴とする請求項１または２に記載のトイレ装置。
【請求項４】
前記機能部は、水を吐出するノズルを有し、
前記本体部は、前記機能部へ水を供給する給水管が接続される給水接続部を有し、
前記取付部は、前記ノズルからみて前記給水接続部とは反対側に位置し、前記本体部の下端部に配置されることを特徴とする請求項１〜３のいずれか１つに記載のトイレ装置。
【請求項５】
前記基板は、
前記基板が前記取付部に取り付けられたときに上方を向く上面と、
前記上面に設けられ、前記電波信号を受信するアンテナと、
を有することを特徴とする請求項１〜４のいずれか１つに記載のトイレ装置。
【請求項６】
前記制御部と電気的に接続され、前記機能部を制御するための情報を含む赤外線信号を受信可能な赤外線モジュールをさらに備えたことを特徴とする請求項１〜５のいずれか１つに記載のトイレ装置。
【発明の詳細な説明】
【技術分野】
【０００１】
本発明の態様は、一般的に、トイレ装置に関する。
【背景技術】
【０００２】
近年のトイレ装置においては、電波通信が利用されることがある。例えば、特許文献１に記載のトイレ装置においては、トイレ装置の筐体の後端上方部近傍に、電波信号を受信するアンテナが設けられている。これにより、電波信号を発する電波式リモコンを用いて、トイレ装置の機能を操作することができる。一方、従来、トイレ装置と通信するリモコンとしては、赤外線式信号を発する赤外線式リモコンが主流であった。
【先行技術文献】
【特許文献】
【０００３】
【特許文献１】特開２００７−１４６５６９号公報
【発明の概要】
【発明が解決しようとする課題】
【０００４】
トイレ装置の使用状況や使用者の好みに合わせて、電波式リモコン及び赤外線式リモコンのいずれかを使用者が選択できることが望まれる。そこで、赤外線及び電波の双方に対応できるように、あらかじめトイレ装置に、赤外線通信用のモジュールと電波通信用のモジュールとの２つのモジュールを搭載する方法が考えられる。しかし、使用者が赤外線通信及び電波通信の一方を選択した場合、他方の通信用のモジュールは使用されない。すなわち、使わないモジュールをトイレ装置に搭載することとなり、トイレ装置の部品点数が無駄に増えるといった問題がある。
【０００５】
本発明は、かかる課題の認識に基づいてなされたものであり、電波信号の受信に対応可能で、部品点数が少ないトイレ装置を提供することを目的とする。
【課題を解決するための手段】
【０００６】
第１の発明は、便器の上に設けられ、人体の局部を洗浄する機能部を含む本体部と、前記本体部の内部に設けられ、前記機能部を制御する制御部と、前記制御部と電気的に接続される基板であって、少なくとも電波信号を受信する基板を後付け可能な取付部と、を備えたトイレ装置である。
【０００７】
このトイレ装置によれば、電波信号を受信する基板を後付けすることにより、トイレ装置の用途や使用者の好みに合わせて、電波による通信を行うことができる。また、電波による通信が必要ない場合には、電波信号を受信する基板を搭載しなくてよい。したがって、部品点数が少ないトイレ装置を提供できる。
【０００８】
第２の発明は、第１の発明において、前記基板と、前記電波信号を送信するリモコンと、をさらに備え、前記電波信号は、前記機能部を制御するための情報を含むことを特徴とするトイレ装置である。
【０００９】
このトイレ装置によれば、電波式のリモコンでトイレ装置を操作することが可能となる。また、電波式リモコンに対応する１つの基板を後付けするだけで、リモコン操作が可能となるため、構造を簡易なものとすることができる。
【００１０】
第３の発明は、第１または第２の発明において、前記取付部は、前記本体部の内部に設けられたことを特徴とするトイレ装置である。
【００１１】
このトイレ装置によれば、トイレ装置の意匠性に影響を与えないように取付部を設けることができ、すっきりとしたデザインのトイレ装置を提供することができる。
【００１２】
第４の発明は、第１〜第３のいずれか１つの発明において、前記機能部は、水を吐出するノズルを有し、前記本体部は、前記機能部へ水を供給する給水管が接続される給水接続部を有し、前記取付部は、前記ノズルからみて前記給水接続部とは反対側に位置し、前記本体部の下端部に配置されることを特徴とするトイレ装置である。
【００１３】
このトイレ装置によれば、トイレ装置内部において、水の流路から離れた位置に取付部及び電波信号を受信する基板が配置される。これにより、トイレ装置内の水によって、基板における電波信号の受信が妨げられることを抑制でき、電波信号を確実に受信しやすい。
【００１４】
第５の発明は、第１〜第４のいずれか１つの発明において、前記基板は、前記基板が前記取付部に取り付けられたときに上方を向く上面と、前記上面に設けられ、前記電波信号を受信するアンテナと、を有することを特徴とするトイレ装置である。
【００１５】
このトイレ装置によれば、アンテナが上を向くため、上方からの電波信号を受信しやすい。また、トイレ装置のリモコン等は、通常、トイレ装置の本体部よりも上方に設置される。したがって、電波信号をより確実に受信しやすい。
【００１６】
第６の発明は、第１〜第５のいずれか１つの発明において、前記制御部と電気的に接続され、前記機能部を制御するための情報を含む赤外線信号を受信可能な赤外線モジュールをさらに備えたトイレ装置である。
【００１７】
このトイレ装置によれば、電波式のリモコン及び赤外線式のリモコンの両方でトイレ装置の機能を操作することができる。
【発明の効果】
【００１８】
本発明の態様によれば電波信号の受信に対応可能で、部品点数が少ないトイレ装置が提供される。
【図面の簡単な説明】
【００１９】
【図１】実施形態に係るトイレ装置が設置されたトイレ室を例示する斜視図である。
【図２】実施形態に係るトイレ装置の本体部の内部を例示する平面図である。
【図３】実施形態に係るトイレ装置を例示するブロック図である。
【図４】実施形態に係るトイレ装置を例示する斜視図である。
【図５】図５（ａ）〜図５（ｃ）は、実施形態に係る基板を収納したケースを例示する斜視図及び断面図である。
【図６】実施形態に係るトイレ装置のカバーを例示する平面図である。
【図７】図７（ａ）及び図７（ｂ）は、実施形態に係る基板の取付方法を例示する斜視図である。
【図８】図８（ａ）及び図８（ｂ）は、実施形態に係るトイレ装置が設置されたトイレ室を例示する平面図である。
【図９】図９（ａ）〜図９（ｃ）は、実施形態に係るトイレ装置を例示する平面図である。
【図１０】図１０（ａ）及び図１０（ｂ）は、実施形態の変形例に係るトイレ装置を例示する斜視図である。
【発明を実施するための形態】
【００２０】
以下、本発明の実施の形態について図面を参照しつつ説明する。なお、各図面中、同様の構成要素には同一の符号を付して詳細な説明は適宜省略する。
【００２１】
図１は、実施形態に係るトイレ装置が設置されたトイレ室を例示する斜視図である。  
図１に示すように、実施形態に係るトイレ装置１００は、洋式腰掛便器（以下、単に「便器」と称する）１５０の上に設けられる。トイレ装置１００は、便器１５０の後方部の上に設けられた本体部１０と、便座２０と、便蓋２１と、を有する。  
本体部１０は、ケーシング１１を有する。ケーシング１１の内部には、後述する機能部が設けられている。便座２０と便蓋２１とは、それぞれ、本体部１０（ケーシング１１）に対して開閉自在に軸支されている。
【００２２】
ここで、本願明細書においては、便座２０に座った使用者からみて上方を「上方」とし、便座２０に座った使用者からみて下方を「下方」とする。開いた状態の便蓋２１に背を向けて便座２０に座った使用者からみて前方を「前方」とし、後方を「後方」とし、右側を「右側方」とし、左側を「左側方」とする。
【００２３】
図２は、実施形態に係るトイレ装置の本体部の内部を例示する平面図である。  
図２に示したようにケーシング１１はケースプレート１２を有し、ケースプレート１２の上に機能部３０が設けられる。  
機能部３０は、使用者の局部を洗浄する局部洗浄機能、トイレ装置１００が設置されたトイレ室内の空気を脱臭する脱臭機能、便座２０及び便蓋２１を電動で開閉する電動開閉機能などを有する。具体的には、図２に示すように、制御部３２、ノズルユニット３４（ノズル３４ａ及びノズルモータ３４ｂ）、温水ヒータ３６、脱臭ユニット３８、電動開閉ユニット４４などが、本体部１０の内部に設けられる。
【００２４】
機能部３０は、便座２０を温める便座暖房機能や、便座２０に座った使用者の「おしり」などに向けて温風を吹き付けて乾燥させる温風乾燥機能や、便器１５０のボウル内の空気を脱臭する脱臭機能などを有していてもよい。例えば、図２に示すように、温風乾燥装置５０や、脱臭装置５２が設けられる。
【００２５】
図３は、実施形態に係るトイレ装置を例示するブロック図である。  
図３では、電気系統の構成と水系統の構成とを併せて示す。図３では、便宜上、一部の要素を省略して示している。  
制御部３２は、マイコンなどの制御回路である。制御部３２は、人体検知センサ５４、着座検知センサ５６及びリモコン（赤外線式リモコン６１又は電波式リモコン６２）からの信号に基づいて、機能部３０の機能を制御する。
【００２６】
例えば、図３に表したように、トイレ装置１００の本体部１０には、水道や貯水タンクなどと接続された給水管１３から水が供給される。本体部１０は、給水管１３が接続される給水接続部４０と、その下流の流路１４と、を有する。流路１４は、給水接続部４０から供給された水を、機能部３０（ノズル３４ａなど）へ導く流路である。
【００２７】
流路１４上において、給水接続部４０の下流側には、電磁弁４１や調圧弁が設けられている。電磁弁４１は、開閉可能な電磁バルブであり、制御部３２からの信号に基づいて水の供給を制御する。つまり、電磁弁４１は、ノズル３４ａへの給水と止水とを切り替える。
【００２８】
電磁弁４１の下流には、温水ヒータ３６が設けられている。温水ヒータ３６は、供給された水を加熱し、温水に変換する。例えば、温水ヒータ３６は、供給された水の温度を所定の温度まで上昇させる。温水ヒータ３６は、例えばセラミックヒータなどを用いた瞬間加熱式（瞬間式）の熱交換器でもよいし、貯湯タンクを用いた貯湯加熱式の熱交換器でもよい。使用者は、リモコン（赤外線式リモコン６１又は電波式リモコン６２）を操作することにより温水の温度を設定することができる。
【００２９】
温水ヒータ３６の下流には、流量の調整を行う流量調整弁３５などが設けられる。流量調整弁３５は、ノズル３４ａを流れる水の量を調整する。  
ノズル３４ａは、流量調整弁３５の下流に配置されている。ノズル３４ａは、ノズルモータ３４ｂからの駆動力を受け、便器１５０のボウル内に進出したり、ケーシング１１の内部に後退することができる。つまり、ノズルモータ３４ｂは、制御部３２からの信号に基づいて３４ａを進退させることができる。
【００３０】
ノズル３４ａの先端部には、吐水口が設けられており、ノズル３４ａは、流量調整弁３５を介して供給された水を吐水口から吐水する。これにより、便座２０に座った使用者の局部（例えば「おしり」など）を洗浄することができる。
【００３１】
電動開閉ユニット４４は、第１モータ４４ａと、第２モータ４４ｂと、を有する。第１モータ４４ａは、便蓋２１を軸支する回転軸と係合しており、制御部３２からの信号に基づいて便蓋２１を開閉することができる。同様に、第２モータ４４ｂは、便座２０を軸支する回転軸と係合しており、制御部３２からの信号に基づいて便座２０を開閉することができる。
【００３２】
脱臭ユニット３８は、ファン３８ａと、脱臭フィルタ３８ｂ（図２参照）と、を有する。脱臭フィルタ３８ｂは、例えば水分を含む多孔質セラミックである。ファン３８ａは、制御部３２からの信号に基づいてトイレ室内の空気を脱臭ユニット３８内に吸い込み、脱臭フィルタ３８ｂを通過させて、脱臭ユニット３８外へ排出する。これにより、トイレ室内の空気を脱臭することができる。
【００３３】
人体検知センサ５４は、便器１５０の前方にいる使用者、すなわち便座２０から前方へ離間した位置に存在する使用者を検知する。つまり、人体検知センサ５４は、トイレ室に入室して便座２０に近づいてきた使用者を検知する。このような人体検知センサ５４としては、例えば、赤外線投受光式の測距センサを用いることができる。人体検知センサ５４は、人体の検知に応答して、人体の検知を表す信号を制御部３２に出力する。
【００３４】
着座検知センサ５６は、便座２０に着座した使用者を検知することができる。着座検知センサ５６は、便座２０に着座した使用者だけではなく、便座２０の上方に存在する使用者を検知してもよい。このような着座検知センサ５６としては、例えば、赤外線投受光式の測距センサを用いることができる。着座検知センサ５６は、使用者が着座した際の荷重によってＯＮ／ＯＦＦが行われるスイッチであってもよい。着座検知センサ５６は、使用者の着座の検知に応答して、着座の検知を表す信号を制御部３２に出力する。
【００３５】
例えば、トイレ装置１００の側方の壁面などには、赤外線式リモコン６１が設置される。赤外線式リモコン６１には、例えば、各種洗浄ボタン（おしり洗浄ボタン等）、洗浄位置調整ボタン、水勢調整ボタン、停止ボタン、便座開閉ボタン、便蓋開閉ボタンなどの複数のボタンが設けられている。使用者が赤外線式リモコン６１に設けられたボタンを操作すると、赤外線式リモコン６１は、赤外線信号を本体部１０に送信する。この赤外線信号は、使用者のリモコン操作に応じて、機能部３０を制御するための情報を含む。
【００３６】
図３に示すように、本体部１０は、赤外線式リモコン６１から送信された赤外線信号を受信する赤外線モジュール６３を有する。赤外線モジュール６３は、制御部３２と電気的に接続されており、受信した赤外線信号を電気信号に変換して、制御部３２に送信する。
【００３７】
赤外線モジュール６３は、赤外線信号を受信するだけでなく、赤外線信号を送信可能であってもよい。すなわち、赤外線モジュール６３は、制御部３２から送信された電気信号を赤外線信号に変換して、赤外線式リモコン６１やその他の機器に送信する。例えば、赤外線式リモコン６１と本体部１０とは、赤外線を用いて相互に通信可能である。なお、赤外線モジュール６３の受光部と制御部３２との間には、適宜、信号を変換するための回路やマイコン等が設けられる。
【００３８】
このように、使用者は、赤外線式リモコン６１を用いて機能部３０の機能を操作することができる。
【００３９】
使用者は、電波式リモコン６２を用いて機能部３０を操作することも可能である。電波式リモコン６２は、赤外線式リモコン６１と同様に、トイレ装置１００の側方の壁面などに設置され、複数のボタンを有する。使用者が電波式リモコン６２に設けられたボタンを操作すると、電波式リモコン６２は、電波信号を本体部１０に送信する。この電波信号は、使用者のリモコン操作に応じて、機能部３０を制御するための情報を含む。
【００４０】
本体部１０は、少なくとも電波信号を受信する基板６４（電波モジュール）を、後付け可能な取付部を有する（取付部の具体例については後述する）。本体部１０は、例えば、工場等から出荷されたままの状態では、電波信号を受信することができないが、取付部によって基板６４を後付けすることで電波信号を受信することができるようになる。なお、「後付け可能」とは、トイレ室などの現場でトイレ装置１００の設置等を行う施工者が、取り付け可能であることをいう。基板６４が「後付け可能」であることは、例えば、施工者等が参照する施工説明書（取扱説明書）に、基板６４の取付方法が記載されていることにより確認できる。
【００４１】
基板６４は、取付部に取り付けられることで、制御部３２と電気的に接続される。基板６４は、例えば、アンテナ６４ａと回路部６４ｂとを有する。アンテナ６４ａには、例えば、基板上に設けられた配線パターンなどを用いることができる。アンテナ６４ａが電波式リモコン６２から送信された電波信号を受信することにより、回路部６４ｂは、受信した電波信号に応じた電気信号を取得する。回路部６４ｂは、例えば、マイコンや信号増幅回路を含み、取得した電気信号を適宜、変換及び増幅した電気信号を生成し、生成した信号を制御部３２に送信する。
【００４２】
基板６４は、電波信号を受信するだけでなく、電波信号を送信可能であってもよい。例えば、回路部６４ｂは、高周波発生回路を含む。例えば、制御部３２から送信された電気信号は、回路部６４ｂに含まれるマイコン及び高周波発生回路によって、高周波信号に変換される。アンテナ６４ａは、この高周波信号を電波信号に変換して電波式リモコン６２やその他の機器に送信する。例えば、電波式リモコン６２と本体部１０とは、電波を用いて相互に通信可能である。
【００４３】
電波式リモコン６２及び基板６４の通信に用いられる電波は、例えば、２．４ＧＨｚ帯である。電波式リモコン６２及び基板６４の通信に用いられる通信規格は、例えば、ＺｉｇＢｅｅ（登録商標）である。ただし、実施形態は、上記に限らず、電波の周波数や通信規格は任意である。例えば、Ｗｉ−ＦｉやＢｌｕｅｔｏｏｔｈ（登録商標）などの規格を用いてもよい。
【００４４】
以上説明したように、基板６４を取付部により後付けすることで、使用者は、電波式リモコン６２を用いて機能部３０の機能を操作することができる。
【００４５】
従来、トイレ装置と通信するリモコンとしては、赤外線を使ったリモコンが主流であった。また、近年では、電波を利用した電波式リモコンも用いられている。家庭や公共施設などの使用状況や、使用者の好みに合わせて、使用者がリモコンを選択できることが望ましい。そこで、赤外線通信及び電波通信の双方に対応できるように、トイレ装置に、予め、赤外線通信用のモジュールと電波通信用のモジュールとの２つのモジュールを搭載する方法が考えられる。しかし、使用者が赤外線通信及び電波通信の一方を選択した場合、他方の通信用のモジュールは使用されない。すなわち、使わないモジュールをトイレ装置に搭載することとなり、トイレ装置の部品点数が無駄に増えるといった問題がある。
【００４６】
これに対して、実施形態に係るトイレ装置１００は、基板６４（電波モジュール）を後付け可能な取付部を有する。取付部に基板６４を後付けすることで、トイレ装置の用途や使用者の好みに合わせて、電波による通信を行うことができる。また、基板６４は後付け可能なため、電波による通信が必要ない場合には、基板６４を搭載しなくてよい。したがって、トイレ装置の部品点数を少なくすることができる。
【００４７】
また、トイレ装置１００においては、電波式リモコン６２に対応する１つの基板６４を後付けするだけで、電波式リモコン６２による操作が可能となるため、トイレ装置１００の構造を簡易にすることができる。また、赤外線モジュール６３は、例えば標準仕様として搭載されているため、基板６４を後付けすることで、電波式リモコン及び赤外線式リモコンの両方でトイレ装置を操作することも可能である。
【００４８】
なお、後付けされる基板は、電波式リモコン６２と通信するための基板には限られず、その他の機器と電波を用いて通信可能な基板であってもよい。例えば、携帯端末やコンピュータと電波通信するための基板を取り付けてもよい。取付部に取り付けられた基板を介した電波通信によって、制御部３２に書き込まれたプログラムを更新することも可能である。
【００４９】
以下、取付部の具体例について説明する。  
図４は、実施形態に係るトイレ装置を例示する斜視図である。  
図４に示したように、トイレ装置１００は、カバー７３と、取付部７０と、を有する。図４は、カバー７３が取り外された本体部１０を、後方下側から眺めた様子を表している。
【００５０】
カバー７３及び取付部７０は、本体部１０の下端部（最下端）に配置されている。具体的には、カバー７３は、ケースプレート１２の裏面（下面）に取り付けられる。カバー７３及び取付部７０は、本体部１０の後端部かつ左端部に位置する。カバー７３を取り外すと、ケースプレート１２の裏面に配置された取付部７０が露出する。
【００５１】
取付部７０は、ハーネス７４と、本体側収納部７４ｃと、を有する。本体側収納部７４ｃは、例えば、ケースプレート１２と一体に成形されており、基板６４を収納したケース７２の位置を規定する凹部又は凸部（突起部）などを有する。ハーネス７４は、電気配線７４ａと、電気配線７４ａの一端に接続されたコネクタ７４ｂと、を有する。例えば、電気配線７４ａは、複数設けられ、１つに束ねられている。
【００５２】
ケース７２に収納された基板６４（電波モジュール）をコネクタ７４ｂに接続することで、基板６４は、制御部３２と電気的に接続される。
【００５３】
図５（ａ）〜図５（ｃ）は、実施形態に係る基板を収納したケースを例示する斜視図及び断面図である。図５（ａ）は、ケース７２の斜視図である。図５（ｂ）は、基板６４を収納したケース７２の分解図である。図５（ｃ）は、図５（ａ）に示すＡ１−Ａ２線断面である。
【００５４】
ケース７２は、上ケース７２ａと、下ケース７２ｂと、を有する。図５（ｂ）に示すように上ケース７２ａの側面には、突起部７２ｅが設けられている。下ケース７２ｂの側面には、フック７２ｆが設けられている。上ケース７２ａと下ケース７２ｂとの間に、基板６４を配置した状態で、突起部７２ｅとフック７２ｆとが噛み合う。これにより、基板６４は、ケース７２内に収納される。
【００５５】
図５（ｃ）に示すように、基板６４は、基板６４が取付部７０に取り付けられたときに上方を向く上面６４Ｕを有する。図３に関して説明したアンテナ６４ａや回路部６４ｂは、上面６４Ｕに設けられる。換言すれば、アンテナ６４ａは、取付部７０に取り付けられた状態において上方を向く。上面６４Ｕには、ハーネス７４のコネクタ７４ｂ（オス端子）が差し込まれる挿入部６４ｃ（メス端子）が設けられている。ケース７２の側方から、挿入部６４ｃにコネクタ７４ｂを差し込むことで、基板６４とハーネス７４とが接続される。
【００５６】
図６は、実施形態に係るトイレ装置のカバーを例示する平面図である。  
図６は、図４に示したカバー７３を上方から眺めた様子を示す。カバー７３は、カバー側収納部７３ｃ（凹部）を有する。また、カバー側収納部７３ｃの周囲には、溝が形成されており、この溝に防水のためパッキン７１が配置される。
【００５７】
図７（ａ）及び図７（ｂ）は、実施形態に係る基板の取付方法を例示する斜視図である。これらの図は、後方下側から見た取付部７０の周辺を拡大して表している。  
基板６４を取り付ける際には、まず、基板６４を収納したケース７２と、ハーネス７４と、を接続する。その後、図７（ａ）に示したように、ケース７２を、ケースプレート１２の裏面に設けられた本体側収納部７４ｃに配置する。その後、図７（ｂ）に示したように、下側からカバー７３を被せて、ねじ７３ｓで固定する。このようにして、ケース７２は、本体側収納部７４ｃと、図６に示したカバー側収納部７３ｃと、の間に収納される。
【００５８】
以上説明したような基板６４の取付構造によれば、施工者は、カバー７３を取り外すだけで、容易に取付部７０にアプローチすることができる。  
また、取付部７０は、ケースプレート１２の裏側であってカバー７３の内側に配置される。すなわち、取付部７０は、本体部１０の内部に設けられる。これにより、トイレ装置１００の意匠性に影響を与えずに、取付部を設けることができ、すっきりとしたデザインのトイレ装置１００を提供することができる。
【００５９】
図８（ａ）及び図８（ｂ）は、実施形態に係るトイレ装置が設置されたトイレ室を例示する平面図である。  
図８（ａ）は、トイレ室を上方から眺めた様子を表す。図８（ｂ）は、トイレ装置１００を左側方から眺めた様子を表す。
【００６０】
図９（ａ）〜図９（ｃ）は、実施形態に係るトイレ装置を例示する平面図である。  
図９（ａ）は、トイレ装置１００を上方から眺めた様子を表す。図９（ｂ）は、トイレ装置１００を後方から眺めた様子を表す。図９（ｃ）は、トイレ装置１００を左側方から眺めた様子を表す。  
これらの図は、トイレ装置１００に後付けされた基板６４が受信又は発信する電波信号の様子を模式的に表している。なお、便器１５０、便座２０及び便蓋２１などに関しては、図示を省略している。
【００６１】
図８（ａ）及び図８（ｂ）に示すように、電波式リモコン６２は、右側方の壁面８１に設置される。なお、図８（ａ）に破線で表した電波式リモコン６２のように、左側方の壁面８２に電波式リモコン６２を設置してもよい。電波式リモコン６２の位置は、トイレ装置１００よりも上方、かつ、トイレ装置１００よりも前方である。
【００６２】
例えば、基板６４に設けられたアンテナ６４ａは、アンテナ６４ａへ向かう電波信号を略全方向から受信可能である。また、アンテナ６４ａは、アンテナ６４ａを中心とした略全方向に電波信号を送信可能である。但し、この例において、アンテナ６４ａは、指向性を有する。図５（ｃ）に関して前述したとおり、アンテナ６４ａは上方を向いているため、アンテナ６４ａから送信される電波信号の強度は、アンテナ６４ａの上方において比較的高い。また、アンテナ６４ａの受信感度は、上方からアンテナ６４ａに向かう電波信号に対して比較的高い。
【００６３】
例えば、アンテナ６４ａから送信される電波信号の強度は、図８（ａ）〜図９（ｃ）に示した円錐状の範囲Ｒ１において高い。範囲Ｒ１は、基板６４の位置を頂点とし、略鉛直方向に延びる直線を回転軸とする円錐状である。この円錐の母線と水平方向との間の角度θ１（図８（ｂ）参照）は、５０°程度である。例えば、アンテナ６４ａの受信感度は、範囲Ｒ１を通ってアンテナ６４ａに向かう電波信号に対して高い。
【００６４】
例えば、電波式リモコン６２も、アンテナ６４ａと同様に指向性を有する。電波式リモコン６２から送信される電波信号の強度は、図８（ａ）及び図８（ｂ）に示したように、円錐状の範囲Ｒ２において高い。範囲Ｒ２は、電波式リモコン６２の位置を頂点として、左側方に向かって広がる。また、電波式リモコン６２の受信感度は、範囲Ｒ２を通って電波式リモコン６２に向かう電波信号に対して高い。
【００６５】
電波式リモコン６２がトイレ装置１００の上方に設けられる場合において、図８（ａ）及び図８（ｂ）に示したように、アンテナ６４ａを上方に向けて配置することにより、より確実に電波信号を送受信することができる。
【００６６】
一方、電波通信に用いられる電波は、例えば、水や金属部材によって遮蔽又は反射される。このため、例えばアンテナ６４ａの上方（範囲Ｒ１）が水や金属部材などによって覆われていると、電波信号の送受信が困難となることがある。
【００６７】
これに対して、図９（ａ）〜図９（ｃ）に示したように、アンテナ６４ａは、トイレ装置１００の後方かつ左側方の端部に配置される。このため、範囲Ｒ１内に、電波を遮蔽又は反射する障害物が配置されにくい。  
例えば、図９（ａ）に示したように、取付部７０は、ノズル３４ａから見て給水接続部４０とは反対側に位置する。このため、トイレ装置１００内の水系統の構成（水の流路、温水ヒータ３６など）は、主に、ノズル３４ａの右側方に設けられる。これにより、トイレ装置１００内の水によって、基板６４における電波信号の送受信が妨げられることを抑制できる。また、制御部３２もノズル３４ａの右側方に設けられる。
【００６８】
一方、ノズル３４ａの左側方には、主に、風系統の構成（脱臭ユニット３８など）が設けられている。これらの材料には主に樹脂が用いられるため、範囲Ｒ１には、電波信号の障害物は少ない。但し、範囲Ｒ１には、電波信号の障害物となり得る部材として、金属部材を含む電動開閉ユニット４４、および、水分を含む脱臭フィルタ３８ｂが設けられている。しかし、電動開閉ユニット４４及び脱臭フィルタ３８ｂの大きさは、範囲Ｒ１の大きさに比べて限定的である。このため、電動開閉ユニット４４及び脱臭フィルタ３８ｂが電波信号の送受信に与える影響は小さいと考えられる。
【００６９】
図１０（ａ）及び図１０（ｂ）は、実施形態の変形例に係るトイレ装置を例示する斜視図である。  
これらの図は、トイレ装置の本体部を後方から眺めた様子を表している。図１０（ａ）に示した本体部１０ｂおよび図１０（ｂ）に示した本体部１０ｃは、それぞれ、基板６４を後付けするための取付部の構造において、前述の本体部１０と異なる。  
図１０（ａ）に示した本体部１０ｂは、基板６４を取り付ける取付部７０ｂを有する。取付部７０ｂは、ハーネス７４と、収納部７４ｄと、を有する。収納部７４ｄは、例えばケースプレート１２の上面において、ケースプレート１２と一体に成形されている。収納部７４ｄは、ケース７２の位置を規定する突起部などを有する。これにより、ケース７２に収納された基板６４は、ケースプレート１２の後端部かつ左側端部に設置される。
【００７０】
本体部１０ｂは、ケーシング１１の後側の面に設けられたカバー８３を有する。施工者は、カバー８３を取り外すことで、ケーシング１１の後ろから取付部７０ｂにアプローチできる。
【００７１】
以上説明した例においては、アンテナが上方を向くように基板６４が取り付けられるが、実施形態はこれに限らない。例えば、図１０（ｂ）に示した本体部１０ｃの取付部７０ｃにおいては、収納部７４ｅにより、アンテナが側方（右側方又は左側方）を向くように基板６４が取り付けられる。基板６４のアンテナが設けられた面は、電波式リモコン６２の方向を向くように配置される。
【００７２】
本願明細書において、「電気的に接続」には、直接接触して接続される場合の他に、回路を構成する素子（導電性部材、抵抗、キャパシタ、増幅・整流素子など）を介して接続される場合も含む。
【００７３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、本体部、制御部、取付部などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７４】
１０、１０ｂ、１０ｃ 本体部、  １１ ケーシング、  １２ ケースプレート、  １３ 給水管、  １４ 流路、  ２０ 便座、  ２１ 便蓋、  ３０ 機能部、  ３２ 制御部、  ３４ ノズルユニット、  ３４ａ ノズル、  ３４ｂ ノズルモータ、  ３５ 流量調整弁、  ３６ 温水ヒータ、  ３８ 脱臭ユニット、  ３８ａ ファン、  ３８ｂ 脱臭フィルタ、  ４０ 給水接続部、  ４１ 電磁弁、  ４４ 電動開閉ユニット、  ４４ａ 第１モータ、  ４４ｂ 第２モータ、  ５０ 温風乾燥装置、  ５２ 脱臭装置、  ５４ 人体検知センサ、  ５６ 着座検知センサ、  ６１ 赤外線式リモコン、  ６２ 電波式リモコン、  ６３ 赤外線モジュール、  ６４ 基板、  ６４Ｕ 上面、  ６４ａ アンテナ、  ６４ｂ 回路部、  ６４ｃ 挿入部、  ７０、７０ｂ、７０ｃ 取付部、  ７１ パッキン、  ７２ ケース、  ７２ａ 上ケース、  ７２ｂ 下ケース、  ７２ｅ 突起部、  ７２ｆ フック、  ７３ カバー、  ７３ｃ カバー側収納部、  ７４ ハーネス、  ７４ａ 電気配線、  ７４ｂ コネクタ、  ７４ｃ 本体側収納部、  ７４ｄ、７４ｅ 収納部、  ８１、８２ 壁面、  ８３ カバー、  １００ トイレ装置、  １５０ 便器
【図１】
2018031123.tif 000003
【図２】
2018031123.tif 000004
【図３】
2018031123.tif 000005
【図４】
2018031123.tif 000006
【図５】
2018031123.tif 000007
【図６】
2018031123.tif 000008
【図７】
2018031123.tif 000009
【図８】
2018031123.tif 000010
【図９】
2018031123.tif 000011
【図１０】
2018031123.tif 000012